(57)【要約】【課題】既設架空ケーブル支持線に新たに光ケーブル等を併設する場合、全て地上からの操作でスパイラルハンガーおよび、通線ワイヤーを同時に架設する小型軽量でシンプルな構造を持ち、手軽に使用出来る工具とする。【解決手段】 第１に、スパイラルハンガー、及び通線ワイヤーを、長竿の先端に取り付けた２つのローラ間に挟み込み、このローラを他端に取り付けたハンドルと連結し、地上からハンドルを手動で廻すことによりスパイラルハンガーはケーブル支持体を中心に回転しながら進行すると同時に通線ワイヤーは回転するスパイラルハンガー内を直進することが出来る。  また、既設ケーブル線路の途中に分岐線があっても容易に通過することができる。第２に、不要となった既設ケーブルリングの爪部分に長竿の先端に取り付けた除去刃を当て、地上から竿を牽引することにより、同リングを支持線から除去することが出来る。【選択図】  図６
2006149114.tif 000002
【特許請求の範囲】
【請求項１】
既設の架空ケーブル支持体に新たにスパイラルハンガーを架設する工事の際、長尺竿の先端にスパイラルハンガー及び通線ワイヤーを挟み込むローラを取り付け、地上からハンドルを廻すことによりローラが回転し、スパイラルハンガーはケーブル支持体を中心に回転しながら進行し、同時に通線ワイヤーも進行して、スパイラルハンガー内に設置できることを特徴とした架設工具。
【請求項２】
前記の新設したスパイラルハンガーで既設ケーブルを捕捉したあと、不要となった既設のケーブルリングを地上から撤去できることを特徴としたケーブルリング除去工具。
【発明の詳細な説明】
【技術分野】
【０００１】
本発明は、電話等架空ケーブルの取り付けに必要なスパイラルハンガー、及びケーブルの通線ワイヤーを地上からの操作で架設出来る工具に関するものである。
【背景技術】
【０００２】
主に光ファイバー通信ケーブルを新設または増設する場合、既設の架空メタリックケーブルの支持体にスパイラルハンガーを掛け、この中に光通信ケーブルを通して併設する。
【０００３】
新設増設工事の際、高所作業車を使用し、スパイラルハンガー、及び通線ワイヤーを既設ケーブル線路に直接作業者の手で先方に押し出しながら取り付けている。
このため、既設ケーブル線路の途中から分岐線が在れば、高所作業車を分岐点まで移動させ作業する必要がある。
【０００４】
既存の地上架設機械は精密、複雑で取り扱いも煩雑である。
【特許文献１】特開平１１−３０８７１９号公報
【特許文献２】特開２０００−１３４７３７公報
【特許文献３】特開２０００−１３９０１０公報
【特許文献４】特開２０００−３５０３１９公報
【特許文献５】特開２００４−８１０００公報
【発明の開示】
【発明が解決しようとする課題】
【０００５】
上述した従来の施工には、次のような問題があった。
【０００６】
主に高所作業車等を使用しての高所作業が必要であった。
【０００７】
このため、高所作業車を駐車するため道路規制が必要となるほか、交通誘導員を配置する必要があった。
【０００８】
この場合、高所作業車の移動と駐車を頻繁に行う必要があるため、工事中の標識板や保安柵の設置、撤去を繰り返すこととなり、多くの労力と費用と時間がかかることになる。
【０００９】
また、高所作業のため、作業者の転落等、人身事故の恐れもある。
【００１０】
地上からの作業を目的とした既存の施工機械は、精密で複雑な構造であることから架設機械の取り付け等、作業前後の準備、整理に多大の手間と時間を要するほか、作業途中に他の架空横断物等がある場合は当該機器の操作紐等を交わす手間を要する。また、機工具の調達に多額の費用を要する。
【００１１】
本発明の第１の課題は、高所作業によらず、全て地上からの操作でスパイラルハンガー等が架設出来ることである。
【００１２】
第２の課題は、スパイラルハンガーと通線ワイヤーを同時に架設出来ることである。
【００１３】
第３の課題は、架設機械工具が安価で調達出来、取り扱いが簡単に出来ることである。
【課題を解決するための手段】
【００１４】
上記第１、第２及び第３の課題を解決するために、請求項１記載の架設工具は、架設するスパイラルハンガー、及び通線ワイヤーを、長竿の先端に取り付けた２つのローラ間に挟み込み、このローラを他端に取り付けたハンドルと連結し、地上からハンドルを手動で廻すことによりスパイラルハンガーはケーブル支持体を中心に回転しながら進行し、同時に通線ワイヤーは回転するスパイラルハンガー内を直進することを特徴とする。
【００１５】
また、スパイラルハンガーは回転しながら進行するため、既設ケーブル線路の途中に分岐線があっても容易に通過することができるため、分岐点があっても高所作業車を必要としないことを特徴」とする。
【００１６】
請求項２のケーブルリング除去工具は、既設ケーブルを新設したスパイラルハンガーで捕捉したあと、不要となった既設ケーブルリングの爪部分に長竿の先端に取り付けた除去刃を当て、既設ケーブル支持線に添わした状態で地上から竿を牽引することにより、同ケーブルリングを支持線から除去することを特徴とする。
【発明の効果】
【００１７】
請求項１及び２記載の工具はシンプルな構造であるため、機工具の調達や、メンテナンス費用が削減される。
【００１８】
また、作業前後の複雑な工具の取り付け、取り外し等を必要としないため作業時間の大幅な短縮が出来る。
【発明を実施するための最良の形態】
【００１９】
以下、本発明の実施例について図面を参照して説明する。
【実施例１】
【００２０】
図１は本発明に係る工具による施工実施例を示す状況図である。
図１において、１は請求項１に記載の架設工具「スパイラルハンガー繰出し機」であって、新設するスパイラルハンガー３及び通線ワイヤー４を繰出し機の先端に取り付けたローラ２aと２bの間に挟み、手元のハンドル１３を廻すとローラの回転によりスパイラルハンガーはケーブル支持線を中心にして回転しながら前進する。
また、同時に通線ワイヤーはスパイラルハンガー内を直進する。
【００２１】
なお、図１において、５は工具「スパイラルハンガー先導コイル」であって、スパイラルハンガー３が回転進行する際、既設ケーブル支持線から脱落しないようにスパイラルのピッチを小さく、直径をスパイラルハンガーより僅かに大きく、スパイラルハンガーと同質の部材で作成したものに、連結ピン７aでスパイラルハンガーと結び先導する。
さらに、図１の６は通線ワイヤー４がスパイラルハンガー３から脱落しないように先端を５「先導コイル」の直径と同程度の径を持った軽量の長球体を連結部7ｂで通線ワイヤー４と結び同ワイヤーをスパイラルハンガー内に設置するための補助工具である。
【００２２】
図２は、請求項１に記載の架設工具「スパイラルハンガー繰出し機」の詳細図である。
図２において、2aはハンドル１３を手で廻すと回転軸１４により回転するローラであり、２bはローラ２aの回転に連動する補助ローラである。
ローラ２bは使用していない状態では支点１８でローラ２aから離れており、使用時にスパイラルハンガー及び、通線ワイヤーを２つのローラ間に挟んだ後に既設ケーブル支持線にフック部１２を掛けて、負荷板１５に腰掛け、体重をかけると２つのローラは密着しスパイラルハンガー及び通線ワイヤーは圧迫された状態で前進される。
なお、同図において、１６は負荷板の吊り紐、１７は回転軸１４および、２つのローラを円滑に回転させるためのベアリングである。
【００２３】
図３は、工具「スパイラルハンガー先導コイル」の詳細図である。
図３において、５はスパイラルハンガー３と同質の部材で、スパイラルのピッチを小さく、径を僅かに大きく作った線状コイルであり、連結ピン７aでスパイラルハンガー３と着脱する。
【００２４】
図４は、通線ワイヤー脱落防止用補助工具「通線ワイヤーフロート」の詳細図である。
軽量の長球体６の後部に小径空洞筒２３を取り付け、さらに接続棒２４を繋ぎ、これに連結ピン７bを介して通線ワイヤー４と着脱する。
【００２５】
図５は、請求項２に記載の既設のケーブルリングを撤去する工具「ケーブルリング除去工具」の実施例を示す概略図である。
図５において、２５は「ケーブルリング除去工具」の刃であり、ケーブル支持線９とケーブルリング１０の爪Aの間隙に挿入し同工具の竿１９を手前に引くと、他方の爪Bが固持されているため、ケーブルリングはケーブル支持線からA端が離れ、その反動でB端も離脱する。
【００２６】
図６は、本発明に係る実施例の全体概略図を示す。
図６において、２０は「スパイラルハンガー先導コイル」５、及び「通線ワイヤーフロート」６が正常に作動しない場合、これらを地上から把持し修正するための「高所把持竿」である。
また、２１はスパイラルハンガー架設始点に設置する「スパイラルハンガーガイドバー」である。
【００２７】
以上本発明の実施例について説明したが、本発明は上記実施例に限定されるものではなく、適宜変形して実施することが可能である。
【００２８】
例えば、架設距離が長くなり、スパイラルハンガーと既設ケーブル、ケーブル支持線等との摩擦が大きくなる場合は、「スパイラルハンガー繰出し機」１を複数台使用することにより容易に作業がそのまま続行できる。
【図面の簡単な説明】
【００２９】
【図１】本発明に係る工具による施工実施例を示す概略説明図である。
【図２】本発明に係る工具「スパイラルハンガー繰出し機」の詳細説明図である。
【図３】工具「スパイラルハンガー先導コイル」の詳細説明図である。
【図４】工具「通線ワイヤーフロート」の説明詳細図である。
【図５】本発明に係る既設のケーブルリングを撤去する工具「ケーブルリング除去工具」の実施例を示す概略説明図である。
【図６】本発明に係る工具による施工実施例を示す全体的なイメージ図である。
【符号の説明】
【００３０】
１スパイラルハンガー繰出し機
２aローラ
２bローラ
３スパイラルハンガー
４通線ワイヤー
５先導コイル
６通線ワイヤーフロート
７a連結ピン
７b連結ピン
８既設ケーブル
９既設ケーブル支持線
１０既設ケーブルリング
１１既設の分岐線
１２フック
１３ハンドル
１４伝動軸
１５座板
１６紐
１７ベアリング
１８支点
１９ケーブルリング除去工具竿
２０高所把持竿
２１スパイラルハンガーガイドバー
２２ケーブルリング受網
【図１】
2006149114.tif 000003
【図２】
2006149114.tif 000004
【図３】
2006149114.tif 000005
【図４】
2006149114.tif 000006
【図５】
2006149114.tif 000007
【図６】
2006149114.tif 000008